(57)【要約】【課題】筆圧の大小にかかわらず、インキの吐出量不足やインキの過剰流出のおそれがなく、適正なインキ吐出性が得られるとともに、連続筆記においても安定したインキ吐出性が得られ、しかも、筆圧の大小により筆跡幅の異なる抑揚のある筆跡が得られるボールペンを提供する。【解決手段】受け座部材４が、軸方向に貫通する内孔４ｂを備えた筒状体であり、支持部材５が、軸方向に貫通する内孔５１を備える。受け座部材４より軟質の材料からなる筒状体である。受け座部材４の後端と支持部材５の前端とが当接され、受け座部材４の内孔４ｂと支持部材５の内孔５１が連通される。筆記時の筆圧で、支持部材５が圧縮されて受け座部材４が後退可能に構成される。【選択図】  図１
2019010843.tif 000002
【特許請求の範囲】
【請求項１】
金属製の筒体の前端に形成された内向きの前端縁部と、
前記前端縁部の後方の筒体内に前後方向に移動可能に収容され且つ前端にボール受け座を有する受け座部材と、
前記前端縁部と前記受け座部材との間で回転可能に抱持されたボールと、
前記筒体内の前記受け座部材の後方に配置され、前記受け座部材の後端を支持する弾性変形可能な支持部材と、を備えたボールペンであって、
前記受け座部材が、軸方向に貫通する内孔を備えた筒状体であり、
前記支持部材が、軸方向に貫通する内孔を備えた、前記受け座部材より軟質の材料からなる筒状体であり
前記受け座部材の後端と前記支持部材の前端とが当接され、前記受け座部材の内孔と前記支持部材の内孔が連通されてなり、
筆記時の筆圧で、前記支持部材が圧縮されて前記受け座部材が後退可能に構成されることを特徴とするボールペン。
【請求項２】
前記受け座部材の外面が前記筒体の内面を前後方向に摺動可能に構成される請求項１に記載のボールペン。
【請求項３】
前記支持部材が、非多孔質の合成樹脂からなる請求項１または２に記載のボールペン。
【発明の詳細な説明】
【技術分野】
【０００１】
本発明は、ボールペンに関する。
【背景技術】
【０００２】
この種のボールペンにおいて、特許文献１には、先端小口部でボールを抱持するパイプ状チツプを取り付けたチツプホルダーの中心孔内に、前記ボールの後側にその先端が当接する合成樹脂製棒状体、該棒状体を介し前記ボールを前方に付勢する弾性含液体、該弾性含液体とインキ接続するインキ誘導部材を順次挿入してなるとともに、少なくとも前記ボールがその先端を前記パイプ状チツプの先端と面一となる迄後方変位することを妨げないよう、前記パイプ状チツプの中心孔の少なくとも先部における径を前記ボールの径より大きく形成してなるボールペン先部が開示されている。
【先行技術文献】
【特許文献】
【０００３】
【特許文献１】実公平２−３０６号公報
【発明の概要】
【発明が解決しようとする課題】
【０００４】
前記特許文献１のボールペンは、筆記時、弾性含侵体に保持されたインキが弾性含侵体の収縮により前方に移行する構造である。そのため、前記特許文献１のボールペンは、比較的小さな筆圧で筆記した際、弾性含侵体の圧縮変形量が少なく、チップ先端からのインキ吐出量が不足し、筆跡途切れが生じるおそれがある。また、前記特許文献１のボールペンは、比較的大きな筆圧で筆記した際、弾性含侵体が極めて大きく圧縮変形されて、インキがチップ先端から過剰に吐出するおそれがある。
【０００５】
また、前記特許文献１のボールペンは、一定の筆圧でチップ先端を紙面から離さず連続して筆記した場合、チップ先端からのインキ吐出量が次第に不足し、筆跡途切れが生じるおそれがある。
【０００６】
本発明は、前記従来の問題点を解決するものであって、筆圧の大小にかかわらず、インキの吐出量不足やインキの過剰流出のおそれがなく、適正なインキ吐出性が得られるとともに、連続筆記においても安定したインキ吐出性が得られ、しかも、筆圧の大小により筆跡幅の異なる抑揚のある筆跡が得られるボールペンを提供しようとするものである。
本発明で、「前」とは、ペン先のボール側を指し、「後」とは、その反対側を指す。
【課題を解決するための手段】
【０００７】
本願の第１の発明は、金属製の筒体２の前端に形成された内向きの前端縁部３と、前記前端縁部３の後方の筒体２内に前後方向に移動可能に収容され且つ前端にボール受け座４ａを有する受け座部材４と、前記前端縁部３と前記受け座部材４との間で回転可能に抱持されたボール６と、前記筒体２内の前記受け座部材４の後方に配置され、前記受け座部材４の後端を支持する弾性変形可能な支持部材５と、を備えたボールペンであって、前記受け座部材４が、軸方向に貫通する内孔４ｂを備えた筒状体であり、前記支持部材５が、軸方向に貫通する内孔５１を備えた、前記受け座部材４より軟質の材料からなる筒状体であり、前記受け座部材４の後端と前記支持部材５の前端とが当接され、前記受け座部材４の内孔４ｂと前記支持部材５の内孔５１が連通されてなり、筆記時の筆圧で、前記支持部材５が圧縮されて前記受け座部材４が後退可能に構成されることを要件とする。
【０００８】
前記第１の発明のボールペン１は、前記受け座部材４が、軸方向に貫通する内孔４ｂを備えた筒状体であり、前記支持部材５が、軸方向に貫通する内孔５１を備えた、前記受け座部材４より軟質の材料からなる筒状体であり、前記受け座部材４の後端と前記支持部材５の前端とが当接され、前記受け座部材４の内孔４ｂと前記支持部材５の内孔５１が連通されてなり、筆記時の筆圧で、前記支持部材５が圧縮されて前記受け座部材４が後退可能に構成されることにより、筆圧の大小にかかわらず、インキの吐出量不足やインキの過剰流出のおそれがなく、適正なインキ吐出性が得られるとともに、連続筆記においても安定したインキ吐出性が得られ、しかも、筆圧の大小により筆跡幅の異なる抑揚のある筆跡が得られる。
【０００９】
本願の第２の発明は、前記第１の発明のボールペン１において、前記受け座部材４の外面が前記筒体２の内面を前後方向に摺動可能に構成されることを要件とする。
【００１０】
前記第２の発明のボールペン１は、前記受け座部材４の外面が前記筒体２の内面を前後方向に摺動可能に構成されることにより、筆記時、ボール受け座４ａが筒体２の軸心から大きく外れることがないため、ボールの安定した回転が得られる。
【００１１】
本願の第３の発明は、前記第１または第２の発明のボールペン１において、前記支持部材５が、非多孔質の合成樹脂からなることを要件とする。
【００１２】
前記第３の発明のボールペン１は、前記支持部材５が、非多孔質の合成樹脂からなることにより、より一層、筆圧の大小にかかわらず、インキの吐出量不足やインキの過剰流出のおそれがなく、適正なインキ吐出性が得られる。
【発明の効果】
【００１３】
本発明のボールペンは、筆圧の大小にかかわらず、インキの吐出量不足やインキの過剰流出のおそれがなく、適正なインキ吐出性が得られるとともに、連続筆記においても安定したインキ吐出性が得られ、しかも、筆圧の大小により筆跡幅の異なる抑揚のある筆跡が得られる。
【図面の簡単な説明】
【００１４】
【図１】本発明の実施の形態の非筆記状態を示す要部縦断面図である。
【図２】図１の要部拡大縦断面図である。
【図３】図２のＡ−Ａ線拡大断面図である。
【図４】図１のボールペンを用いて小さな筆圧で筆記した際の要部拡大縦断面図である。
【図５】図１のボールペンを用いて大きな筆圧で筆記した際の要部拡大縦断面図である。
【発明を実施するための形態】
【００１５】
本発明の実施の形態を図１乃至図５に示す。
本実施の形態のボールペン１は、前端に回転可能にボール６が抱持された金属製の筒体２と、該筒体２を前端部に保持する合成樹脂製のペン先保持部７とを備える。
【００１６】
・筒体
筒体２は、金属製（例えば、ＳＵＳ３０４等のオーステナイト系のステンレス鋼製）の直円筒状体からなる。前記筒体２の前端部には、内向きの環状の内向突起よりなる前端縁部３が一体に形成される。前記前端縁部３の最小内径は、ボール６の直径より小さく設定される。前記筒体２の前端部の内径は、ボール６が回転可能に抱持されるよう、ボール６より僅かに大きく設定される。本実施の形態では、前記筒体２の内径は一定である。
【００１７】
・ボール
ボール６の材質は特に限定されないが、一般に金属またはセラミックスからなるものが用いられる。前記ボールは、例えば、炭化タングステン、酸化ジルコニウム、酸化アルミニウム、酸化ケイ素、炭化ケイ素などのセラミックスやステンレス鋼などの金属が用いられる。また、前記ボールは、セラミックスと金属性結合材とからなる超硬合金を用いてもよい。このような超硬合金としては、タングステンカーバイトと、コバルトまたはニッケルなどの金属性結合材とからなるものが知られている。
【００１８】
ボール６は、直径０．３ｍｍ〜２．０ｍｍの範囲内のものが採用される。ボール６は、例えば、直径０．５ｍｍ、０．６ｍｍ、０．７ｍｍ、１．０ｍｍのものが採用される。
【００１９】
・受け座部材
受け座部材４は、金属製（例えば、ＳＵＳ３０４等のオーステナイト系のステンレス鋼製）の直円筒状体からなり、軸方向に内孔４ｂが貫通される。なお、前記受け座部材４の材質は、金属以外にも、硬質の合成樹脂製（例えば、ポリアセタール樹脂製）であってもよい。前記受け座部材４は、前端にボール受け座４ａを備える。
【００２０】
前記受け座部材４の前端部に、軸方向に延びる複数（例えば4本）のインキ流通溝４ｃが形成される。前記インキ流通溝４ｃの各々は、周方向に等間隔に配置される。前記インキ流通溝４ｃの各々は、軸方向前方及び径方向内方に開口される。本実施の形態では、前記インキ流通溝４ｃの各々は、径方向に貫通され、それにより、容易にインキ流通溝４ｃを形成できるとともに、ボール受け座４ａ近傍において潤沢にインキを保持することが可能となり、その結果、一層、ボール６への安定したインキ供給が可能となる。受け座部材４の外径は、支持部材５の外面と筒体２の内面と摺動可能な寸法に設定される。本実施の形態では、支持部材５の外径は、ボール６の直径と略同等の寸法に設定される。
【００２１】
・支持部材
支持部材５は、受け座部材４よりも軟質な材料からなり、例えば、軟質の合成樹脂、合成ゴム、または合成樹脂のエラストマー等により得られる。支持部材５は、弾性変形可能である。支持部材５は、円筒体または環状であり、内部に内孔５１が軸方向に貫通される。支持部材５は、筒体２内に収容される。支持部材５の前端と受け座部材４の後端が当接され、それにより、支持部材５の内孔５１と受け座部材４の内孔４ｂが連通される。支持部材５の前端と受け座部材４の後端とが環状に当接され、それにより、支持部材５の内孔５１から受け座部材４の内孔４ｂへのスムーズなインキ流通が可能となる。
【００２２】
前記支持部材５の後端は、ペン先保持部７内面に形成された係止壁部７４に係止され、前記支持部材５の後方移動が阻止される。前記支持部材５の前端は、受け座部材４の後端に当接される。前記支持部材５は、筒体２の後端開口部内面に圧入される。
【００２３】
筆記時、筆圧によりボール６が後方に押圧されると、受け座部材４が後退されるとともに、支持部材５が前後方向に圧縮弾性変形される。支持部材５が弾性変形可能な軟質材料からなることによって、ソフトな筆記感と抑揚のある筆跡が得られる。
図４の示すように、比較的小さな筆圧で筆記した場合、受け座部材４がわずかに後退し、ボールと前端縁部との比較的小さな隙間から比較的少量のインキが吐出され、比較的細幅の筆跡が得られる。
図５の示すように、比較的大きな筆圧で筆記した場合、受け座部材が大きく後退し、ボールと前端縁部との比較的大きな隙間から比較的多量のインキが吐出され、比較的太幅の筆跡が得られる。
【００２４】
・ペン先保持部
ペン先保持部７は、合成樹脂の成形体からなり、前端部に筒体２が保持可能な保持孔７１を備える。前記保持孔７１の底部には、筒体２の後端が当接可能な当接壁部７３が一体に形成される。前記保持孔７１の後方にはインキ流通孔７２が連設される。前記保持孔７１の底部（またはインキ流通孔７２の内部）には、前記支持部材５の後端が当接可能な係止壁部７４が一体に形成される。尚、前記支持部材５の後端が当接可能な係止壁部７４は筒体２の内面に形成される構成でもよい。
【００２５】
本実施の形態のボールペン１は、前記受け座部材４が、軸方向に貫通する内孔４ｂを備えた筒状体であり、前記支持部材５が、軸方向に貫通する内孔５１を備えた、前記受け座部材４より軟質の材料からなる筒状体であり、前記受け座部材４の後端と前記支持部材５の前端とが当接され、前記受け座部材４の内孔４ｂと前記支持部材５の内孔５１が連通されてなり、筆記時の筆圧で、前記支持部材５が圧縮されて前記受け座部材４が後退可能に構成されることにより、筆圧の大小にかかわらず、インキの吐出量不足やインキの過剰流出のおそれがなく、適正なインキ吐出性が得られるとともに、連続筆記においても安定したインキ吐出性が得られ、しかも、筆圧の大小により筆跡幅の異なる抑揚のある筆跡が得られる。
【００２６】
本実施の形態のボールペン１は、前記受け座部材４の外面が前記筒体２の内面を前後方向に摺動可能に構成されることにより、筆記時、ボール受け座４ａが筒体２の軸心から大きく外れることがないため、ボール６の安定した回転が得られる。
【００２７】
本実施の形態のボールペン１は、前記支持部材５が、非多孔質の合成樹脂からなることにより、より一層、筆圧の大小にかかわらず、インキの吐出量不足やインキの過剰流出のおそれがなく、適正なインキ吐出性が得られる。
【００２８】
尚、本発明のボールペン１は、非筆記時、ボール６を前方に付勢し、ボール３を前端縁部３の内面に密接させる構成であってもよい。それにより、非筆記時、ペン先からのインキ漏出や空気混入を防止できる。前記ボールを前方に付勢する構成としては、具体的には、支持部材５の弾性力によって前方に押圧された受け座部材４によってボール３を前方に付勢し、非筆記時、ボール３を前端縁部３の内面に密接させる構成、または弾発部材（例えばスプリング）の前端をボール３の後面に当接させ、弾発部材を受け座部材４の内孔４ｂ及び支持部材５の内孔５１の内部に収容され、弾発部材の後端をペン先保持部７のインキ流通孔７２内面に係止させた構成が挙げられる。
【００２９】
本発明のボールペン１は、非筆記時、前端縁部３内面とボール受け座４ａとにボール３が同時に接触しない構成を採用することもできる。
【００３０】
尚、本発明のボールペン１は、非筆記時、前端縁部３内面とボール受け座４ａとにボール３が同時に接触しない前記構成と、非筆記時、前記弾発部材によりボール６を前方に付勢し、ボール３を前端縁部３の内面に密接させる前記構成と、を組み合わせることも可能である。
【符号の説明】
【００３１】
１  ボールペン
２  筒体
３  前端縁部
４  受け座部材
４ａ  ボール受け座
４ｂ  内孔
４ｃ  インキ流通溝
５  支持部材
５１  内孔
６  ボール
７  ペン先保持部
７１  保持孔
７２  インキ流通孔
７３  当接壁部
７４  係止壁部
【図１】
2019010843.tif 000003
【図２】
2019010843.tif 000004
【図３】
2019010843.tif 000005
【図４】
2019010843.tif 000006
【図５】
2019010843.tif 000007